(57)【要約】【課題】起動処理を必要とする外部入力機器側での起動処理中の映像が長時間表示されてしまうということを防止する。【解決手段】ＭＰＵ１６により、外部入力端子（ＰＣ入力）２５に接続されている起動処理を必要とするＰＣ（パソコン）３５の電源オンが検知されると、同期カウンタ１３によりＰＣ（パソコン）３５からの映像信号の水平同期信号がカウントされ、該カウント結果が不揮発メモリ１５に記憶されている起動処理の完了を判断できる解像度と一致したとき、ＰＣ（パソコン）３５が接続されている外部入力端子（ＰＣ入力）２５を入力とするように入力セレクタ１１の切換制御が行われるようにした。【選択図】図１
2008125037.tif 000002
【特許請求の範囲】
【請求項１】
少なくとも外部入力機器からの映像信号及び／又は音声信号を入力とするように切り換える入力切換制御装置であって、
少なくとも起動処理を必要とする外部入力機器が接続される外部入力端子を選択して入力切換を行う入力切換手段と、
入力切換指示に応じて前記入力切換手段の切換制御を行う制御手段とを備え、
前記制御手段は、前記外部入力機器の電源オンを検知し、さらに該外部入力機器の起動処理完了を判断すると、前記入力切換手段に対し前記外部入力機器が接続される外部入力端子を選択させるように切換制御を行う
ことを特徴とする入力切換制御装置。
【請求項２】
前記制御手段は、前記外部入力機器からの映像信号の解像度が所定の解像度になったとき、前記起動処理完了を判断することを特徴とする請求項１に記載の入力切換制御装置。
【請求項３】
前記制御手段は、前記外部入力機器の前回の電源オフ時の解像度に応じて前記起動処理完了を判断することを特徴とする請求項１又は２に記載の入力切換制御装置。
【請求項４】
前記外部入力機器からの映像信号の水平同期信号をカウントするカウント手段を備え、
前記制御手段は、前記外部入力機器の電源オンを検知すると、前記カウント手段に対してカウントを指示し、該カウント手段によるカウント結果に応じて前記起動処理完了を判断する
ことを特徴とする請求項１〜３のいずれかに記載の入力切換制御装置。
【請求項５】
前記制御手段は、前記外部入力機器の電源オンを検知して所定の時間が経過したとき前記起動処理完了を判断することを特徴とする請求項１に記載の入力切換制御装置。
【請求項６】
請求項１〜５のいずれかに記載の入力切換制御装置を備えることを特徴とする映像表示機器。
【請求項７】
少なくとも外部入力機器からの映像信号及び／又は音声信号を入力とするように切り換える入力切換制御方法であって、
少なくとも起動処理を必要とする外部入力機器が接続される外部入力端子を選択して入力切換を行うステップと、
入力切換指示に応じて前記入力切換の切換制御を行うステップとを有し、
前記外部入力機器の電源オンを検知し、さらに該外部入力機器の起動処理完了を判断すると、前記外部入力機器が接続される外部入力端子を選択させるように切換制御を行う
ことを特徴とする入力切換制御方法。
【請求項８】
前記外部入力機器からの映像信号の解像度が所定の解像度になったとき、前記起動処理完了を判断することを特徴とする請求項７に記載の入力切換制御方法。
【請求項９】
前記外部入力機器の前回の電源オフ時の解像度に応じて前記起動処理完了を判断することを特徴とする請求項７又は８に記載の入力切換制御方法。
【請求項１０】
前記外部入力機器からの映像信号の水平同期信号をカウントするステップを有し、
前記外部入力機器の電源オンを検知すると、前記カウントを指示し、該カウント結果に応じて前記起動処理完了を判断する
ことを特徴とする請求項７〜９のいずれかに記載の入力切換制御方法。
【請求項１１】
前記外部入力機器の電源オンを検知して所定の時間が経過したとき前記起動処理完了を判断することを特徴とする請求項７に記載の入力切換制御方法。
【発明の詳細な説明】
【技術分野】
【０００１】
本発明は、視聴中の映像を外部入力からの映像に自動で切り換えるための入力切換制御装置、映像表示機器及び入力切換御方法に関する。
【背景技術】
【０００２】
テレビジョン受像機には、ＢＳ（Ｂｒｏａｄｃａｓｔｉｎｇ  Ｓａｔｅｌｌｉｔｅ）チューナ、１１０度ＣＳ（Ｃｏｍｍｕｎｉｃａｔｉｏｎ  Ｓａｔｅｌｌｉｔｅ）チューナ等の各種チューナや、ビデオデッキ、ＤＶＤ（Ｄｉｇｉｔａｌ  Ｖｅｒｓａｔｉｌｅ  Ｄｉｓｃ）プレーヤ等の数多くの外部入力機器からの音声信号や映像信号等からなる外部入力信号が入力される複数の外部入力端子が備えられているものがある。
【０００３】
また、このようなテレビジョン受像機では、ＲＧＢケーブル又はＤＶＩ（Ｄｉｇｉｔａｌ  Ｖｉｓｕａｌ  Ｉｎｔｅｒｆａｃｅ）デジタルケーブル等を用いてＰＣ（パソコン）からの音声信号や映像信号等の外部入力信号が入力される外部入力端子が備えられているものもある。
【０００４】
ところで、これらの外部入力機器からの外部入力の選択は、テレビジョン受像機側の操作パネル又はリモコン送信機に設けられている入力切換キーが押下される度に、地上波チューナからのテレビジョン放送信号又は上述した各種外部入力機器のいずれかからの外部入力信号が取り込まれるように、選択的に順次切り換えられるようになっている。
【０００５】
このような外部入力の選択を行うものとして、特許文献１では、複数の外部入力端子を選択的に切り換える入力切換キーと複数の数字キーとを有するリモコンと、入力切換キーが押下されたときから所定時間、動作モードを入力切換モードに保持し、動作モードが入力切換モードのときに複数の数字キーのいずれかが押下された場合には、複数の外部入力端子のうちの押下された数字キーに対応する外部入力端子に切り換わるように制御するマイコンとを備えた電子機器を提案している。
【特許文献１】特開２００６−１４８７１５号公報
【発明の開示】
【発明が解決しようとする課題】
【０００６】
このように、上述した特許文献１では、入力切換キーが押下されたときから所定時間、動作モードを入力切換モードに保持しておくことで、数字キーに対応する外部入力端子に切り換わるように制御されることから、希望する外部入力を数字キーの押下でダイレクトに選択することができる。
【０００７】
ところが、このような外部入力の選択方法は、入力切換モードに保持されている期間内で数字キーにより外部入力を選択させるようにするものであり、複数の外部入力機器のいずれかの電源がオンされることに合わせて、現在視聴中の映像を電源がオンされた外部入力機器からの映像に自動で切り換えるような入力切換を行うことができない。
【０００８】
すなわち、テレビジョン受像機側で各外部入力機器の電源のオン／オフを監視し、電源がオンされた外部入力機器を認識すると、複数の外部入力端子のうちその電源がオンされた外部入力機器が接続されている外部入力端子に自動的に入力切換が行われるようなことである。
【０００９】
このような表示制御が可能となれば、上述した入力切換キーの操作等を省くことができるため、さらに操作性が向上するものと思われる。
【００１０】
この場合、上述した各種チューナや、ビデオデッキ、ＤＶＤプレーヤ等の外部入力機器では、外部入力機器側で電源をオンすると、直ちに選局又は再生操作を行うことができ、テレビジョン受像機側での映像表示の切り換えを直ちに行うことが可能である。
【００１１】
ところが、特に、ＰＣ（パソコン）の場合では、電源をオンすると、ＣＰＵによる初期化処理等が完了してからパスワード入力画面又は初期画面が表示されることになり、その初期化処理等が完了するまでに多くの時間を必要としてしまうばかりか、その初期化処理等が行われている最中ではＰＣ（パソコン）を操作することができない。
【００１２】
そのため、テレビジョン受像機側での映像を電源がオンされたＰＣ（パソコン）からの映像に直ちに切り換えると、ＰＣ（パソコン）側での初期化処理等が完了するまで、ＰＣ（パソコン）側での初期化処理中の映像（ＢＩＯＳ画面やＭＳ−ＤＯＳ画面等）が長時間表示されてしまうという問題があった。
【００１３】
本発明は、このような状況に鑑みてなされたものであり、上記問題点を解決することができる入力切換制御装置、映像表示機器及び入力切換御方法を提供することを目的とする。
【課題を解決するための手段】
【００１４】
本発明の入力切換制御装置は、少なくとも外部入力機器からの映像信号及び／又は音声信号を入力とするように切り換える入力切換制御装置であって、少なくとも起動処理を必要とする外部入力機器が接続される外部入力端子を選択して入力切換を行う入力切換手段と、入力切換指示に応じて前記入力切換手段の切換制御を行う制御手段とを備え、前記制御手段は、前記外部入力機器の電源オンを検知し、さらに該外部入力機器の起動処理完了を判断すると、前記入力切換手段に対し前記外部入力機器が接続される外部入力端子を選択させるように切換制御を行うことを特徴とする。
また、前記制御手段は、前記外部入力機器からの映像信号の解像度が所定の解像度になったとき、前記起動処理完了を判断するようにすることができる。
また、前記制御手段は、前記外部入力機器の前回の電源オフ時の解像度に応じて前記起動処理完了を判断するようにすることができる。
また、前記外部入力機器からの映像信号の水平同期信号をカウントするカウント手段を備え、前記制御手段は、前記外部入力機器の電源オンを検知すると、前記カウント手段に対してカウントを指示し、該カウント手段によるカウント結果に応じて前記起動処理完了を判断するようにすることができる。
また、前記制御手段は、前記外部入力機器の電源オンを検知して所定の時間が経過したとき前記起動処理完了を判断するようにすることができる。
本発明の映像表示機器は、請求項１〜５のいずれかに記載の入力切換制御装置を備えることを特徴とする。
本発明の入力切換御方法は、少なくとも外部入力機器からの映像信号及び／又は音声信号を入力とするように切り換える入力切換制御方法であって、少なくとも起動処理を必要とする外部入力機器が接続される外部入力端子を選択して入力切換を行うステップと、入力切換指示に応じて前記入力切換の切換制御を行うステップとを有し、前記外部入力機器の電源オンを検知し、さらに該外部入力機器の起動処理完了を判断すると、前記外部入力機器が接続される外部入力端子を選択させるように切換制御を行うことを特徴とする。
また、前記外部入力機器からの映像信号の解像度が所定の解像度になったとき、前記起動処理完了を判断するようにすることができる。
また、前記外部入力機器の前回の電源オフ時の解像度に応じて前記起動処理完了を判断するようにすることができる。
また、前記外部入力機器からの映像信号の水平同期信号をカウントするステップを有し、前記外部入力機器の電源オンを検知すると、前記カウントを指示し、該カウント結果に応じて前記起動処理完了を判断するようにすることができる。
また、前記外部入力機器の電源オンを検知して所定の時間が経過したとき前記起動処理完了を判断するようにすることができる。
本発明の入力切換制御装置、映像表示機器及び入力切換御方法では、少なくとも起動処理を必要とする外部入力機器の電源オンが検知され、さらに該外部入力機器の起動処理完了が判断されると、該外部入力機器が接続される外部入力端子を選択させるように切換制御が行われることで、起動処理が完了してから現在表示中の映像が起動処理を必要とする外部入力機器からの映像に切り換えられる。
【発明の効果】
【００１５】
本発明の入力切換制御装置、映像表示機器及び入力切換御方法によれば、起動処理が完了してから現在表示中の映像が起動処理を必要とする外部入力機器からの映像に切り換えられるようにしたので、起動処理を必要とする外部入力機器側での起動処理中の映像が長時間表示されてしまうということを防止することができる。
【発明を実施するための最良の形態】
【００１６】
本実施形態では、制御手段により、少なくとも起動処理を必要とする外部入力機器の電源オンが検知され、さらに該外部入力機器の起動処理完了が判断されると、入力切換手段に対し、該外部入力機器が接続される外部入力端子を選択させるように切換制御が行われ、起動処理が完了してから現在表示中の映像が起動処理を必要とする外部入力機器からの映像に切り換えられるようにし、起動処理を必要とする外部入力機器側での起動処理中の映像が長時間表示されてしまうということを防止するようにした。
【実施例】
【００１７】
以下、本発明の実施例の詳細について説明する。図１は、本発明の入力切換制御装置をテレビジョン受像機に適用した場合の一実施例を説明するための図である。
【００１８】
同図に示すテレビジョン受像機１は、チューナ１０、入力セレクタ１１、映像処理部１２、同期カウンタ１３、リモコン受信器１４、不揮発メモリ１５、ＭＰＵ（Ｍｉｃｒｏ  Ｐｒｏｃｅｓｓｉｎｇ  Ｕｎｉｔ）１６、外部入力部２０を備えている。
【００１９】
チューナ１０は、たとえばリモコン送信機３０の図示しない選局キーの操作に応じてアナログ又はデジタルの地上波テレビジョン放送のチャンネルを選局する。
【００２０】
入力セレクタ１１は、たとえばリモコン送信機３０の図示しない入力切換キーの操作に応じてチューナ１０及び外部入力部２０の外部入力端子２１〜２５を順に選択し、選択したチューナ１０からの映像信号、又は外部入力部２０の外部入力端子２１〜２５のいずれかからの外部入力信号を映像処理部１２に与える。
【００２１】
映像処理部１２は、入力セレクタ１１によって選択されたチューナ１０からの映像信号、又は外部入力部２０の外部入力端子２１〜２５のいずれかからの外部入力信号を処理し、その処理したＡ／Ｖ信号を図示しない液晶パネルへ出力する。
【００２２】
なお、Ａ／Ｖ信号を図示しない液晶パネルへ出力する際、たとえばチューナ１０からのデジタル放送信号である場合、映像処理部１２において、そのデジタル放送信号が復調され、ＭＰＥＧ２符号化方式等で符号化されている映像、音声、データが多重されたトランスポートストリームから映像データ、音声データ、電子番組表データ等の各種データが分離・抽出され、その分離・抽出された映像データ及び音声データに対しＭＰＥＧ２等の復号処理が行われる。
【００２３】
同期カウンタ１３は、ＭＰＵ１６からの指示に基づき、ＰＣ（パソコン；起動処理を必要とする外部入力機器の一例）３５からの外部入力信号に含まれる映像信号の水平同期信号をカウントする。ここでの水平同期信号のカウントは、映像信号の解像度を判別するために行われる。リモコン受信器１４は、リモコン送信機３０からのリモコン信号を受信する。
【００２４】
不揮発メモリ１５には、たとえばＭＰＵ１６による制御に必要な制御プログラムや、入力セレクタ１１に対しＰＣ（パソコン）３５が接続されている外部入力端子２５を選択させる際の情報等が記録されている。ここでの情報は、ＰＣ（パソコン）３５の起動処理の完了を判断できる解像度を示すものである。
【００２５】
すなわち、映像信号の解像度には、たとえばＶＧＡ（６４０×４８０ピクセル）、ＳＶＧＡ（８００×６００ピクセル）、ＸＧＡ（１０２４×７６８ピクセル）、ＷＸＧＡ（１２８０×７６８ピクセル）等があるが、ＰＣ（パソコン）３５の起動処理中に表示されるたとえばＢＩＯＳ画面又はＭＳ−ＤＯＳ画面での映像信号の解像度はＣＰＵの処理負担を軽減させる等のために一般的に低解像度のＶＧＡとなっている。
【００２６】
また、ＰＣ（パソコン）３５での起動処理が完了すると、パスワード入力画面又は初期画面が表示されるが、そのときの映像信号の解像度はＰＣ（パソコン）３５側でユーザが任意に設定できるＳＶＧＡ、ＸＧＡ、ＷＸＧＡ等のいずれかの高解像度となっている。
【００２７】
このようなことから、不揮発メモリ１５にＰＣ（パソコン）３５側での起動処理が完了したことを判断できる情報として、ＰＣ（パソコン）３５側でユーザが任意に設定したＳＶＧＡ、ＸＧＡ、ＷＸＧＡ等のいずれかの解像度を記憶させておくことにより、同期カウンタ１３によるカウント結果が不揮発メモリ１５に記憶された解像度と一致したかどうかを確認することで、ＰＣ（パソコン）３５の起動処理の完了の判別が可能となる。
【００２８】
ＭＰＵ１６は、不揮発メモリ１５に記憶されている制御プログラムに基づき、たとえばリモコン送信機３０からのリモコン信号の内容に応じて各部の動作を制御する。本実施例でのＭＰＵ１６は、特に、ＰＣ（パソコン）３５が接続されているたとえば外部入力端子（ＰＣ入力）２５の電圧を監視し、ＰＣ（パソコン）３５の電源オンに伴う外部入力端子（ＰＣ入力）２５の電圧上昇からＰＣ（パソコン）３５の電源がオンされたことを認識すると、同期カウンタ１３に対してＰＣ（パソコン）３５からの外部入力信号に含まれる映像信号の水平同期信号をカウントさせる。
【００２９】
また、ＭＰＵ１６は、同期カウンタ１３によるカウント結果が不揮発メモリ１５に記憶された解像度と一致したかどうかを確認し、一致した場合にはＰＣ（パソコン）３５の起動処理が完了したと判断して入力セレクタ１１に対し外部入力端子（ＰＣ入力）２５を選択させる。これにより、リモコン送信機３０による図示しない入力切換キーの操作を行うことなく、起動処理が完了した時点でのＰＣ（パソコン）３５への入力切換を自動で行うことができる。
【００３０】
すなわち、ＰＣ（パソコン）３５の起動処理が完了してから入力セレクタ１１を制御してＰＣ（パソコン）３５への入力切換が行われることにより、テレビジョン受像機１の液晶パネルにＰＣ（パソコン）３５の起動処理中の上述した映像が表示されてしまうようなことがなくなるとともに、直ちにＰＣ（パソコン）３５を操作することができ、ＰＣ（パソコン）３５からの所望の映像がテレビジョン受像機１の液晶パネルに表示される。
【００３１】
外部入力部２０は、たとえばＢＳ（Ｂｒｏａｄｃａｓｔｉｎｇ  Ｓａｔｅｌｌｉｔｅ）チューナ３１が接続される外部入力端子２１と、たとえば１１０度ＣＳ（Ｃｏｍｍｕｎｉｃａｔｉｏｎ  Ｓａｔｅｌｌｉｔｅ）チューナ３２が接続される外部入力端子２２と、たとえばビデオデッキ３３が接続される外部入力端子２３と、たとえばＤＶＤ（Ｄｉｇｉｔａｌ  Ｖｅｒｓａｔｉｌｅ  Ｄｉｓｃ）プレーヤ３４が接続される外部入力端子２４と、ＰＣ（パソコン）３５が接続される外部入力端子２５とを備えている。なお、ＢＳチューナ３１、１１０度ＣＳチューナ３２はテレビジョン受像機１に内蔵するようにしてもよい。
【００３２】
図２は、ＭＰＵ１６によって制御される同期カウンタ１３の動作を説明するための図である。すなわち、ＰＣ（パソコン）３５の電源がオンされると、外部入力端子２５から入力セレクタ１１に図２（ｂ）に示す垂直同期信号及び図２（ｃ）に示す水平同期信号を含む映像信号が出力される。ここで、ＭＰＵ１６によってＰＣ（パソコン）３５の電源オンが認識されると、ＭＰＵ１６から同期カウンタ１３に図２（ａ）に示すようなカウント制御パルスが出力される。
【００３３】
そして、同期カウンタ１３は、図２（ａ）のカウント制御パルスのハイ期間で図２（ｃ）の水平同期信号をカウントすると、ＭＰＵ１６によりそのカウント結果から映像信号の解像度が判別され、上述した不揮発メモリ１５に記憶されている解像度と一致したかどうかが確認される。
【００３４】
なお、図２（ａ）では説明の都合上、１個のカウント制御パルスが出力される場合で示しているが、そのカウント制御パルスは同期カウンタ１３によるカウント結果が不揮発メモリ１５に記憶されている解像度と一致するまで所定の間隔をおいて繰り返し出力されるものである。また、カウント制御パルスのハイ期間及びカウント制御パルスの出力の間隔は、ＭＰＵ１６及び同期カウンタ１３の処理能力に応じて適宜設定可能である。また、水平同期信号の数をカウントする代わりに水平同期信号の周期を測定して解像度を判定するようにしてもよい。
【００３５】
次に、テレビジョン受像機１における表示制御方法について説明する。なお、以下の説明においては、ＰＣ（パソコン）３５の起動処理が完了してから現在表示中の映像をそのＰＣ（パソコン）３５からの映像に自動的に切り換えるかどうかを選択できる選択メニューが設けられていて、その選択メニューから自動切換が選択されたときに、ＰＣ（パソコン）３５からの映像に自動的に切り換えられるものとする。
【００３６】
まず、テレビジョン受像機１によりたとえばテレビジョン放送の映像が表示されているとき、図３に示すように、ＰＣ（パソコン）３５の電源がオンされたかどうかが確認される（ステップＳ１）。すなわち、ＭＰＵ１６により外部入力端子（ＰＣ入力）２５の電圧上昇が検知されることで、ＰＣ（パソコン）３５の電源オンが認識される。このとき、ＭＰＵ１６により同期カウンタ１３に対してＰＣ（パソコン）３５からの外部入力信号に含まれる映像信号の水平同期信号のカウントが指示される（ステップＳ２）。
【００３７】
ここで、図２（ａ）に示したカウント制御パルスが所定の間隔で同期カウンタ１３に繰り返し出力され、そのカウント制御パルスのハイ期間で水平同期信号のカウントが繰り返し行われる。
【００３８】
このとき、ＭＰＵ１６により同期カウンタ１３でのカウント結果が不揮発メモリ１５に記憶されている解像度（たとえばＸＧＡ）と一致したかどうかが繰り返し確認され（ステップＳ３）、一致が確認されると、ＰＣ（パソコン）３５側での起動処理が完了したと判断され、カウント制御パルスの出力が停止されるとともに、入力セレクタ１１が制御されて外部入力端子（ＰＣ入力）２５が選択されるように切り換えられる（ステップＳ４）。
【００３９】
これにより、リモコン送信機３０による図示しない入力切換キーの操作を行うことなく、起動処理が完了した時点でのＰＣ（パソコン）３５への入力切換が自動で行われる。
【００４０】
次に、たとえばリモコン送信機３０の図示しない入力切換キーの操作に応じた入力切換に伴い、ＰＣ（パソコン）３５の起動処理が完了してから現在表示中の映像をそのＰＣ（パソコン）３５からの映像に自動的に切り換える場合について説明する。
【００４１】
まず、テレビジョン受像機１によりたとえばテレビジョン放送の映像が表示されているとき、図４に示すように、リモコン送信機３０からのリモコン信号の受信の有無が判断される（ステップＳ５）。リモコン信号の受信有りと判断されると、そのリモコン信号の内容が入力切換かどうかが判断される（ステップＳ６）。
【００４２】
ここで、リモコン送信機３０からのリモコン信号の内容が入力切換でなければ、現在視聴中の映像に対する画質調整や音質調整等の通常の入力切換以外のリモコン指示処理に移行する（ステップＳ７）。
【００４３】
これに対し、リモコン送信機３０からのリモコン信号の内容が入力切換であれば、その入力切換が外部入力端子（ＰＣ入力）２５からの入力を選択するものであるかどうかが判断される（ステップＳ８）。すなわち、たとえばリモコン送信機３０の操作による入力切換では、リモコン送信機３０の図示しない入力切換キーの操作に応じてチューナ１０及び外部入力部２０の外部入力端子２１〜２５が順に選択されることになる。なお、チューナ１０又は外部入力端子２１〜２５が順に選択されるとき、外部入力機器側の電源がオフであれば、その電源がオフの外部入力機器の入力切換が自動的にスキップされるようにしてもよい。
【００４４】
ここで、その入力切換が外部入力端子（ＰＣ入力）２５からの入力を選択するものであると判断されなかった場合、すなわち、ＰＣ（パソコン）３５以外のチューナ１０、ＢＳチューナ３１、１１０度ＣＳチューナ３２、ビデオデッキ３３、ＤＶＤプレーヤ３４のいずれかからの入力を選択するものであると判断されると、入力セレクタ１１が制御されて所定の入力である、選択された入力の映像に切り換えられる（ステップＳ９）。
【００４５】
すなわち、この処理では、リモコン信号が受信される度にＭＰＵ１６により入力セレクタ１１が制御され、チューナ１０、外部入力部２０の各外部入力端子が順に選択される。そして、その選択されたチューナ１０又は外部入力部２０の各外部入力端子のいずれかからの映像信号が映像処理部１２に出力され、映像処理部１２によって処理された信号に基づく映像がテレビジョン受像機１の図示しない液晶パネルに表示されることになる。
【００４６】
この場合も、上記同様に、チューナ１０又は外部入力部２０の各外部入力端子が順に選択されるとき、外部入力機器側の電源がオフであれば、その電源がオフの外部入力機器の入力切換が自動的にスキップされるようにしてもよい。
【００４７】
一方、ステップＳ８で、入力切換が外部入力端子（ＰＣ入力）２５からの入力を選択するものであると判断されると、ＰＣ（パソコン）３５の電源がオンされているかどうかが確認される（ステップＳ１０）。すなわち、ＭＰＵ１６により外部入力端子（ＰＣ入力）２５の電圧上昇が検知されることで、ＰＣ（パソコン）３５の電源オンが認識される。
【００４８】
ここで、ＰＣ（パソコン）３５の電源がオンされていると判断されると、ＭＰＵ１６により同期カウンタ１３に対してＰＣ（パソコン）３５からの外部入力信号に含まれる映像信号の水平同期信号のカウントが指示される（ステップＳ１１）。
【００４９】
すなわち、上記同様に、図２（ａ）に示したカウント制御パルスが所定の間隔で同期カウンタ１３に繰り返し出力され、そのカウント制御パルスのハイ期間で水平同期信号のカウントが繰り返し行われる。
【００５０】
このとき、ＭＰＵ１６により同期カウンタ１３でのカウント結果が不揮発メモリ１５に記憶されている解像度（たとえばＸＧＡ）と一致したかどうかが確認される（ステップＳ１２）。すなわち、ＰＣ（パソコン）３５側の電源がオンされていて既に起動処理が完了していれば、同期カウンタ１３でのカウント結果が不揮発メモリ１５に記憶されている解像度（たとえばＸＧＡ）と一致するため、ステップＳ９に移行し入力セレクタ１１が制御されて所定の入力である、ＰＣ（パソコン）３５からの映像に切り換えられる。
【００５１】
これに対し、ＰＣ（パソコン）３５側の電源がオンされた直後では、ＰＣ（パソコン）３５側での起動処理が完了するまで数分かかる場合がある。このように、起動処理が完了するまでの間では、同期カウンタ１３でのカウント結果が不揮発メモリ１５に記憶されている解像度（たとえばＸＧＡ）と一致しないことになり、この場合には入力セレクタ１１が制御されてたとえばチューナ１０からの映像に切り換えられる（ステップＳ１３）。
【００５２】
このようにして、たとえばチューナ１０からの映像が表示されている間に、同期カウンタ１３でのカウント結果が不揮発メモリ１５に記憶されている解像度（たとえばＸＧＡ）と一致したことが確認されると（ステップＳ１４）、ＰＣ（パソコン）３５側での起動処理が完了したと判断され、カウント制御パルスの出力が停止されるとともに、入力セレクタ１１が制御されて外部入力端子（ＰＣ入力）２５が選択されるように切り換えられる（ステップＳ１５）。
【００５３】
また、ステップＳ１０において、ＰＣ（パソコン）３５の電源がオンされていないと判断されると、入力セレクタ１１が制御されて入力セレクタ１１が制御されてたとえばチューナ１０からの映像に切り換えられる（ステップＳ１６）。
【００５４】
そして、たとえばチューナ１０からの映像が表示されている間に、上記同様にして、ＰＣ（パソコン）３５の電源がオンされたかどうかが確認され（ステップＳ１７）、ＰＣ（パソコン）３５の電源がオンされたと判断されると、ＭＰＵ１６により同期カウンタ１３に対してＰＣ（パソコン）３５からの外部入力信号に含まれる映像信号の水平同期信号のカウントが指示される（ステップＳ１８）。
【００５５】
次いで、ステップＳ１４に移行し、同期カウンタ１３でのカウント結果が不揮発メモリ１５に記憶されている解像度（たとえばＸＧＡ）と一致したことが確認されると、ステップＳ１５に移行し、入力セレクタ１１が制御されて外部入力端子（ＰＣ入力）２５が選択されるように切り換えられる。なお、ステップＳ１７においてＰＣ電源のＯＮの待ち時間（Ｎｏフロー）の限度（たとえば５分）を設定して、その限度を越えた場合にはフローを「エンド」にしてテレビ視聴を継続させることも可能である。ユーザが入力切換をＰＣに設定したがＰＣ電源を長時間ＯＮしないということは、ＰＣ入力の意思が無い、又は途中で意思が変わったと判定して対応するフローである。
【００５６】
これにより、たとえばリモコン送信機３０の図示しない入力切換キーの操作に応じた入力切換に伴い、ＰＣ（パソコン）３５からの入力が選択された場合でも、ＰＣ（パソコン）３５の起動処理が完了してから現在表示中の映像がそのＰＣ（パソコン）３５からの映像に自動的に切り換えられる。
【００５７】
このように、本実施例では、ＭＰＵ１６により、外部入力端子（ＰＣ入力）２５に接続されている起動処理を必要とするＰＣ（パソコン）３５の電源オンが検知されると、同期カウンタ１３によりＰＣ（パソコン）３５からの映像信号の水平同期信号がカウントされ、該カウント結果が不揮発メモリ１５に記憶されている起動処理の完了を判断できる解像度と一致したとき、ＰＣ（パソコン）３５が接続されている外部入力端子（ＰＣ入力）２５を入力とするように入力セレクタ１１の切換制御が行われるようにし、起動処理が完了してから現在表示中の映像がＰＣ（パソコン）３５からの映像に切り換えられるようにしたので、起動処理を必要とするＰＣ（パソコン）３５側での起動処理中の映像が長時間表示されてしまうということを防止することができる。
【００５８】
なお、本実施例では、同期カウンタ１３によるカウント結果が不揮発メモリ１５に記憶されている解像度と一致したとき、入力セレクタ１１を制御して外部入力端子（ＰＣ入力）２５を選択させる場合について説明したが、この例に限らず、ＰＣ（パソコン）３５の電源オンを検出してから、所定時間経過後に入力セレクタ１１を制御して外部入力端子（ＰＣ入力）２５を選択させるようにしてもよい。この場合の所定時間は、固定であってもよいし、任意に設定できるようにしてもよい。
【００５９】
また、不揮発メモリ１５に記憶されている解像度は、上述したＳＶＧＡ、ＸＧＡ、ＷＸＧＡ等のいずれかがユーザにより任意に設定されるようにしてもよいし、ＭＰＵ１６によりＰＣ（パソコン）３５の電源オフ時の解像度で設定されるようにしてもよい。この場合、たとえば不揮発メモリ１５に電源オフ時の解像度を記憶させておき、現在表示中の映像が上述した手順でＰＣ（パソコン）３５からの映像に切り換えられ、その後、電源がオフされる度に、たとえば不揮発メモリ１５に記憶されている前回の電源オフ時の解像度を今回の電源オフ時の解像度に更新されるようにしてもよい。
【００６０】
また、本実施例では、現在表示中の映像がＰＣ（パソコン）３５からの映像に切り換えられる場合について説明したが、この例に限らず、現在表示中の映像がＰＣ（パソコン）３５からの音声出力に関連する映像に切り換えられ、併せてＰＣ（パソコン）３５からの音声がテレビジョン受像機１の図示しないスピーカから出力されるようにしてもよい。
【産業上の利用可能性】
【００６１】
映像が表示されるものであって、外部入力機器が接続されるものであればよく、テレビジョン受像機に限らず、他の映像表示システム機器にも適用可能である。
【図面の簡単な説明】
【００６２】
【図１】本発明の入力切換制御装置をテレビジョン受像機に適用した場合の一実施例を説明するための図である。
【図２】図１のＭＰＵによって制御される同期カウンタの動作を説明するための図である。
【図３】図１のテレビジョン受像機における表示制御方法について説明するためのフローチャートである。
【図４】図１のテレビジョン受像機における表示制御方法について説明するためのフローチャートである。
【符号の説明】
【００６３】
１  テレビジョン受像機
１０  チューナ
１１  入力セレクタ（入力切換手段）
１２  映像処理部
１３  同期カウンタ（カウント手段）
１４  リモコン受信器
１５  不揮発メモリ
１６  ＭＰＵ（制御手段）
２０  外部入力部
２１〜２５  外部入力端子
３０  リモコン送信機
３１  ＢＳチューナ
３２  １１０度ＣＳチューナ
３３  ビデオデッキ
３４  ＤＶＤプレーヤ
３５  ＰＣ（パソコン）
【図１】
2008125037.tif 000003
【図２】
2008125037.tif 000004
【図３】
2008125037.tif 000005
【図４】
2008125037.tif 000006